(57)【要約】【課題】電池を効率よく収納することができ、安価に量産できる電池収納ケース及び電池収納体を提供する。【解決手段】収納体１は、直方体状の収納ケース２の内に、複数の電池３が束ねられた電池群５が、縦横に行列状に配列された状態で収納されて構成されている。  収納ケース２は、長方形状の底板１０、第一中間板２０、天板３０、第二中間板４０などを備え、一枚のダンボール板材が折り曲げ加工されて形成されている。  組み立て後の収納ケース２において、底板１０の上方に間隙をあけて第二中間板４０が存在し、第二中間板４０の直上に第一中間板２０が積層され、第一中間板２０上方に間隙をあけて天板３０が存在する。そして、第一中間板２０には複数の孔２５が行列状に開設され、第二中間板４０にも、複数の孔２５と対応する位置に複数の孔４５が形成されている。【選択図】図１
2012230859.tif 000002
【特許請求の範囲】
【請求項１】
複数の電池を収納する電池収納ケースであって、
長方形状の底板部と、
当該底板部の一辺から上方に折り曲げられた第一側板部と、
当該第一側板部の上辺から折り曲げられ、前記底板部に対して前記各電池の高さ未満の間隙をおいて対向し、前記電池を填め込む孔が複数開設された第一中間板部と、
前記第一中間板部における前記上辺と対向する辺から上方に折り曲げられた第二側板部と、
当該第二側板部の上辺から折り曲げられ、前記第一中間板部上に間隙をおいて対向する天板部とを備え、
全体が１枚の板材によって形成されていることを特徴とする電池収納ケース。
【請求項２】
前記天板部における先辺から前記第一側板部に向かって下方に折り曲げられた第三側板部を備えることを特徴とする請求項１記載の電池収納ケース。
【請求項３】
前記底板部における前記一辺と対向する対辺から上方に折り曲げられた第四側板部と、
当該第四側板部の上辺から折り曲げられ、前記底板部に対して前記各電池の高さ未満の間隙をおいて対向し、前記第一中間板部に開設された孔に対応する複数の孔が開設された第二中間板部と、
前記第二中間板部の先辺から折り曲げられ、前記第一側板部に内側に沿う第五側板部を備え、
前記第一中間板部は、前記第二中間板部の直上に積層されていることを特徴とする請求項１又は２記載の電池収納ケース。
【請求項４】
前記底板部における前記一辺と対辺との間の一対の側辺から上方に折り曲げられ、前記第一側板部を挟み込む一対の第六側板部を備えることを特徴とする請求項１〜３のいずれか記載の電池収納ケース。
【請求項５】
前記第一中間板部における一対の側辺から下方に折り曲げられた一対の第七側板部を備えることを特徴とする請求項１〜４のいずれか記載の電池収納ケース。
【請求項６】
請求項１〜５のいずれか記載の電池収納ケースに、
前記複数の電池が収納されてなる電池収納体。
【発明の詳細な説明】
【技術分野】
【０００１】
本発明は、複数の電池を収納する電池収納ケース、及び電池収納ケースに複数の電池が収納された電池収納体に関する。
【背景技術】
【０００２】
リチウムイオン電池、ニッケル水素電池およびアルカリ電池などの電池は、携帯機器などの電源として多用されている。
これらの電池を工場で製造して出荷する際には、複数の電池を段ボールなどの包装ケースに収納して出荷することが多く、特許文献１，特許文献２においても、複数の電池を縦横に配列した状態で収納ケース内に収納する例が開示されている。
【０００３】
このように複数の電池が収納ケース内に収納して収納体は、まとめて車や船などで輸送されることも多いので、搬送中に衝撃が加わっても電池が損傷されないように、耐衝撃性も必要となる。そこで、収納ケース内に、電池と共にパットなどが収容され、電池に対する耐衝撃性を高めている。
【先行技術文献】
【特許文献】
【０００４】
【特許文献１】特開２００４−３１９３８７号公報
【特許文献２】特開２０１０−６４７５９号公報
【発明の概要】
【発明が解決しようとする課題】
【０００５】
このような電池収納ケースを組み立てる際には、効率よく組み立てを行うことが望まれる。
ところが、特許文献１に記載された収納ケースにおいては、使用する部品として電池どうしを仕切る複数の仕切板を設けているので、使用する部品数が多い。また、組み立てる上でも効率がよくなく、その分、製造コストもかかる。
【０００６】
このような背景のもとで、本発明は、電池を効率よく収納することができ、安価に量産できる電池収納ケース及び電池収納体を提供することを目的とする。
【課題を解決するための手段】
【０００７】
上記目的を達成するため本発明にかかる電池収納ケースは、複数の電池を収納するものであって、長方形状の底板部と、当該底板部の一辺から上方に折り曲げられた第一側板部と、第一側板部の上辺から折り曲げられ、底板部に対して各電池の高さ未満の間隙をおいて対向し、電池を填め込む孔が複数開設された第一中間板部と、第一中間板部における上記上辺と対向する辺から上方に折り曲げられた第二側板部と、第二側板部の上辺から折り曲げられ、第一中間板部上に間隙をおいて対向する天板部とを設け、全体を１枚の板材によって形成した。
【０００８】
上記本発明の電池収納体において、以下のようにすることが好ましい。
天板部における先辺から第一側板部に向かって下方に折り曲げられた第三側板部を設ける。
底板部における前記一辺と対向する対辺から上方に折り曲げられた第四側板部と、第四側板部の上辺から折り曲げられ、底板部に対して前記各電池の高さ未満の間隙をおいて対向し、第一中間板部に開設された孔に対応する複数の孔が開設された第二中間板部と、第二中間板部の先辺から折り曲げられ、第一側板部に内側に沿う第五側板部を設け、第一中間板部を、第二中間板部の直上に積層させるようにした。
【０００９】
底板部における一辺と対辺との間の一対の側辺から上方に折り曲げられ、第一側板部を挟み込む一対の第六側板部を設ける。
第一中間板部における一対の側辺から下方に折り曲げれられた一対の第七側板部を設ける。
【発明の効果】
【００１０】
上記本発明の電池収納ケース及び電池収納体によれば、底板部と、第一側板部と、第一中間板部と、第二側板部と、天板部とが、１枚の板材に設けられている。
従って、この１枚の板材を折り曲げて組み立てるだけで、１個の電池収納ケースを作製することができる。
また、第一中間板に電池を填め込む孔が複数開設され、これが電池どうしを仕切る仕切り板として機能するので、別途に仕切り板を設ける必要がない。
【００１１】
従って、本発明にかかる電池収納ケース及び電池収納体は、使用する部材の数が少なく、組み立てる上でも効率がよいので、その分、製造コストが低減される。
上記本発明にかかる電池収納ケース及び電池収納体において、天板部における先辺から第一側板部に向かって下方に折り曲げられた第三側板部を設ければ、天板部は、第二側板部と第三側板部によって、第一中間板部上に間隙をおいて対向した状態で支持することができる。
【００１２】
上記本発明にかかる電池収納ケース及び電池収納体において、底板部における一辺と対向する対辺から上方に折り曲げられた第四側板部と、当該第四側板部の上辺から折り曲げられ、底板部に対して前記各電池の高さ未満の間隙をおいて対向し、第一中間板部に開設された孔に対応する複数の孔が開設された第二中間板部と、第二中間板部の先辺から折り曲げられ、前記第一側板部に内側に沿う第五側板部を設け、第一中間板部を、第二中間板部の直上に積層させるようにすれば、第二中間板部が、第四側板部及び第五側板部によって、底板部上に間隙をおいて対向した状態で支持され、この第二中間板部の上に積層されている第一中間板部も支持される。
【００１３】
上記本発明にかかる電池収納ケース及び電池収納体において、底板部における一辺と対辺との間の一対の側辺から上方に折り曲げられ、第一側板部を挟み込む一対の第六側板部を設ければ、この一対の第六側板部によって、電池収納ケースの側面を形成することができる。
上記本発明にかかる電池収納ケース及び電池収納体において、第一中間板部における一対の側辺から下方に折り曲げられた一対の第七側板部を設ければ、この一対の第七側板部によっても第一中間板部を底板上に間隙を開けて支持することができる。
【図面の簡単な説明】
【００１４】
【図１】実施の形態にかかる収納体１の構成を示す組立図である。
【図２】収納ケース２用のダンボール板材の展開図である。
【図３】収納体１を組み立てる工程を示す組立工程図である。
【図４】収納体１を組み立てる工程を示す組立工程図である。
【図５】比較例にかかる収納体ユニットの構成を示す組立図である。
【発明を実施するための形態】
【００１５】
以下、実施の形態について説明するが、発明の本質的な特徴以外については、適宜変更可能である。
１．収納体１、収納体ユニットの構成
図１は、実施の形態にかかる収納体１の構成を示す組立図である。図中、矢印Ｘが前方、矢印Ｙは右方、矢印Ｚは上方を指している。
【００１６】
収納体１は、直方体状の収納ケース２の内に、複数の電池３が束ねられた電池群５が、前後左右に行列状に配列された状態で収納されて構成されている。
各電池３は角形であり、ポリ袋４に収納された状態で束ねられて電池群５が形成されている。
収納ケース２は、長方形状の底板１０、第一中間板２０、天板３０、第二中間板４０などを備え、一枚のダンボール板材が折り曲げ加工されて形成されている。なお、図１では、底板１０，第二中間板４０は見えない（図２〜４参照）。
【００１７】
底板１０、第一中間板２０、天板３０、第二中間板４０は、同等サイズの長方形状である。
組み立て後の収納ケース２において、底板１０の上方に間隙をあけて第二中間板４０が存在し、第二中間板４０の直上に第一中間板２０が積層され、第一中間板２０上方に間隙をあけて天板３０が存在する。そして、第一中間板２０には複数の孔２５が行列状に開設され、第二中間板４０にも、複数の孔２５と対応する位置に複数の孔４５が形成されている。
【００１８】
第一中間板２０及び第二中間板４０と、底板１０との間隙は、電池３の高さよりも小さく設定されている。
収納ケース２の前面は、第一側板５１及び第三側板５３で形成され、後面は、第二側板５２及び第四側板５４（図２〜４参照）で形成されている。収納ケース２の右面は第六側板５６で、左面は第六側板５７で形成されている。
【００１９】
第一側板５１及び第三側板５３の合計高さ、第二側板５２及び第四側板５４の合計高さ、第六側板５６，５７の高さは、電池群５の高さとほぼ同等であって、底板１０と天板３０とで各電池群５が上下から挟まれている。
そして、収納体１においては、第一中間板２０及び第二中間板４０の各孔２５，４５に電池群５が差し込まれた状態で、収納ケース２に複数の電池群５が収納されている。この第一中間板２０及び第二中間板４０によって、複数の電池群５は、互いに間隙をあけて行列状に配列された状態で安定に保持されている。
【００２０】
収納体１を持ちやすいように、収納ケース２には、天板３０に切り欠き３３，３４、第六側板５６，５７に切り抜き５６ｂ，５７ｂが形成されている。また、第二側板５２に切り抜き５２ｂが、第四側板５４に切り込み５４ｂが形成されている。これら第二側板５２の切り欠き５２ｂが、第四側板５４の切り込み５４ｂに嵌ることで、第一中間板４０と第４側板とを結合させることができる。この第一中間板４０と第４側板との結合によって、第一中間板４０と底板１０との連結を図っている。
【００２１】
図１に示すように、直方体状の外箱６の中に、上記の収納体１を複数個積み重ねて、収納体ユニットが構成されている。なお図１では、２個の収納体１を重ねて収納体ユニットを構成しているが、３個以上の収納体１を積み重ねて、収納体ユニットを構成してもよい。
２．収納ケース２の材料
収納ケース２は１枚のダンボール板材が折り曲げられて形成されている。図２は、そのダンボール板材の展開図である。
【００２２】
図２に示すように、収納ケース２用のダンボール板材においては、長方形状の底板１０を有し、この底板１０の前方に、第一側板５１，第一中間板２０，第二側板５２，天板３０，第三側板５３が順に延設されている。
また、底板１０の後方に、第四側板５４，第二中間板４０、第五側板５５が順に延設されている。また、底板１０の左方に第六側板５６が、右方に第六側板５７が延設されている。
【００２３】
この底板１０と、第一側板５１，第四側板５４，第六側板５６，５７との境界は、折線１１〜１４であって、罫線加工が施されている。
第一中間板２０の左辺となる折線２３から第七側板５８が、右辺となる折線２４から第七側板５９が延設されている。第一中間板２０と、第一側板５１，第二側板５２，第七側板５８，５９との境界も折線２１〜２４であって、罫線加工が施されている。
【００２４】
第三側板５３の先端には差込片５３ａが突設され、この差込片５３ａを受け入れるスリット２１ａが折線２１に沿って形成されている。また、第五側板５５の先辺から差込片５５ａが突設され、この差込片５５ａを受け入れるスリット１１ａが折線１１に沿って形成されている。
【００２５】
また、第六側板５６の先辺から差込片５６ａ、第六側板５７の先辺から差込片５７ａが延設され、第七側板５８の先端には差込片５８ａ、第七側板５９の先端には差込片５９ａが延設されている。
第六側板５６，５７と差込片５６ａ、５７ａとの境界線は罫線加工され、第七側板５８、５９と、差込片５８ａ，５９ａとの境界線も罫線加工されている。
【００２６】
第一中間板２０には、複数の孔２５が行列状（５行×８列）に開設されている。各孔２５は、電池群５が丁度填まり込む大きさの矩形状の枠から一対の三角状の突起２５ａが突出した形状である。各突起２５ａの根元も罫線加工されている。
第二中間板４０には、複数の孔４５が行列状（５行×８列）に開設されている。各孔４５は電池群５が丁度填まり込むように矩形状に開設されている。
【００２７】
天板３０と第三側板５３，第二側板５２との境界は、折線３１，３２であって、罫線加工が施されている。
第二中間板４０と、第五側板５５，第四側板との境界は、折線４１，４２であって、罫線加工が施されている。
なお、第六側板５６，５７には、切り抜き５６ｂ，５７ｂが開設され、天板３０にもそれに対応する切り欠き３３，３４が形成されている。また、第二側板５２には切り抜き５２ｂが、第四側板５４には切り込み５４ｂが形成されている。
【００２８】
３．収納ケース２の組み立て方法
収納ケース２は、上記形状のダンボール板材が折り曲げ加工されて形成されている。
図３，図４は、上記のダンボール板材を折り曲げ加工しながら、電池群５を収納することによって、収納体１を組み立てる工程を示す組立工程図である。
【００２９】
図３（ａ）に示されるように、上記図２の板材２ａを準備する。
図３（ｂ），（ｃ）に示すように、底板１０の後辺となる折線１２において第四側板５４を上方に折り曲げ、第四側板５４の上辺となる折線４２において第二中間板４０を前方に折り曲げ、第二中間板４０の前辺となる折線４１において第五側板５５を下方に折り曲げる。そして、図３（ｃ）に示すように、スリット１１ａに差込片５５ａを差し込む。
【００３０】
これによって、第二中間板４０は、第四側板５４及び第五側板５５によって支持された状態で、底板１０の上方に間隙をあけて配置される。
次に、図３（ｄ）に示されるように、底板１０の前辺となる折線１１において第五側板５５を上方に折り曲げ、折線２１において第一中間板２０を後方に折り曲げる。
これによって、図３（ｅ）に示すように、第一中間板２０が第二中間板４０の上に積層され、第一中間板２０と第二中間板４０とが共に、第四側板５４及び第五側板５５によって支持された状態で、底板１０の上方に間隙をあけて配置されることになる。また、第一中間板２０の各孔２５は、第二中間板４０の各孔４５と重なりあう。
【００３１】
折線２３，２４において、第七側板５８、５９を下方に折り曲げ、さらに、差込片５８ａ，５９ａを内方に折り曲げて、底板１０の上側に差し込む。
そして、第一中間板２０の各孔２５に電池群５を差し込むことによって、図４（ａ）に示されるように、電池群５を行列状に配列された状態で収納する。この電池群５を差込む動作に伴って、各孔２５の１対の突起２５ａは下方に折れ曲げられ、電池群５は、折れ曲がった一対の突起２５ａに挟まれた状態で孔２５及び孔４５を貫通する。
【００３２】
なお、各電池群５の下面は底板１０に接し、各電池群５の上部は第一中間板２０から上方に突出した状態となる。
このように複数の電池群５を収納した後、第一中間板２０の後辺となる折線２２において第二側板５２を上方に折り曲げ、折線３２において天板３０を前方に折り曲げる。
【００３３】
また、折線３１において第三側板５３を下方に折り曲げ、差込片５３ａをスリット２１ａに差し込む。
これによって、図４（ｂ）に示されるように、天板３０は、第二側板５２及び第三側板５３に支持された状態で、第一中間板２０の上方に間隙をあけて配置される。このとき、天板３０は各電池群５の上面に隣接する。
【００３４】
図４（ｃ），（ｄ）に示すように、底板１０の左辺となる折線１３か第六側板５６を上方に折り曲げ、底板１０の右辺となる折線１４から第六側板５７も上方に折り曲げる。
第六側板５６の先端にある差込片５６ａ及び第六側板５７の先端にある差込片５７ａを内方に折り曲げて、天板３０の下側に差し込む。
以上で、収納ケース２内に電池群５が収納された収納体１が出来上がる。
【００３５】
４．収納ケース２による効果
底板１０、第一側板５１、第一中間板２０、第二側板５２、天板３０などが形成された１枚の板材２ａから１個の収納ケース２を作製することができ、その組み立ても、上記のように折り曲げることによって比較的容易に行うことができる。
また、第一中間板２０に電池群５を填め込む孔２５が複数開設され、これが電池群５どうしを仕切る仕切り板として機能するので、別途に仕切り板を設ける必要がない。
【００３６】
従って、収納ケース２は、使用する部材の数が少なく、組み立てる上でも効率がよいので、その分、製造コストが低減される。
４．実施例の効果
上記実施形態に基づいて、電池３として角形のリチウムイオン電池を用いて、５個の電池３で電池群５を構成した。そして、１つの収納ケース２に電池群５を４０個（５行×８列）収納して、実施例にかかる収納体１を作製した。１個の収納体１には電池３が合計２００個収納されている。
【００３７】
外箱６の中に、収納体１を２個積み重ねて収納体ユニットを構成した。１個の収納体ユニットには電池３が合計４００個収納されている。収納体ユニットのサイズは、前後方向の長さが３０５ｍｍ、左右方向長さが３９４ｍｍ、高さが１３８ｍｍである。
１つの収納体ユニットに用いられている板材は、収納ケース２用の板材２ａが２枚と、外箱６用の板材が１枚なので、合計３枚である。
【００３８】
一方、図５は、比較例にかかる収納体ユニットの構成を示す組立図である。
この比較例にかかる収納体は、実施例と同じ電池３を４個束ねた電池群１０５を、直方体状の外箱１０６内に、行列状（５行×１０列）に配列し、行方向の仕切板１０４ａを６枚、列方向の仕切板１０４ｂを１１枚、電池群５同士の間に介挿させて状態で収納している。仕切板１０４ａと仕切板１０４ｂは格子状に組み合わせられ、仕切板１０４ａ，１０４ｂによって電池群１０５どうしの間隙が確保されている。
【００３９】
１段の収納体に収納されている電池群１０５の数は４×１０＝５０個、収納されている電池３の合計数は２００個である。
上記の収納体を２つ、中間板１０２を介して重ね、天板１０１と底板１０３で上下から挟んだ状態で外箱１０６の中に収納して、収納体ユニットを構成している。
１つの収納体ユニットに収納されている電池群１０５の数は１００個、電池３の合計数は４００個である。
【００４０】
１つの収納体ユニットに用いられている板材は、仕切板１０４ａが１２枚、仕切板１０４ｂが２２枚、天板１０１、中間板１０２、底板１０３が各１枚、外箱１０６の板材が１枚なので、合計３８枚である。
以上のように、実施例の収納体ユニットでは、比較例の収納体ユニットと比べて、１つの収納体ユニットに使用する板部材の数がきわめて少ないことがわかる。
【００４１】
また、比較例の収納体ユニットを組み立てる時には、仕切板１０４ａと仕切板１０４ｂを格子状に組み合わせることが必要であるが、実施例の収納体ユニットを組み立てる時には、そのような作業は不要である。従って、実施例の収納体ユニットの方が、組み立てる上でも効率がよい。
５．変形例
収納体１においては、複数（５個）の電池３が束ねられてなる電池群５が各孔２５に填め込まれていたが、各孔２５に填め込む電池の数は特に限定されず１個でもよい。
【００４２】
収納ケース２において、第二中間板４０は必ずしも備えなくてもよいが、電池群５を安定に保持する上で、第二中間板４０を備えることが好ましい。
また、収納ケース２において、第六側板５６，５７も、必ずしも備えなくてもよいが、収納ケース２の側面を覆いケースの強度を高める上で第六側板５６，５７を備えることが好ましい。
【００４３】
また、収納ケース２において、第七側板５８，５９も、必ずしも備えなくてもよいが、第一中間板２０を底板１０上に間隙をあけて保持する強度を高める上で、第六側板５６，５７を備えることが好ましい。
上記実施の形態では、電池３の形状が角形であったが、電池３の形状は角形に限らず、円筒形であっても、同様に実施することができる。
【産業上の利用可能性】
【００４４】
本発明によれば、角形の二次電池をはじめとする電池を収納して電池収納体を作製する際に、使用する部材の数が少なく、効率よく電池収納体を作製することができる。
【符号の説明】
【００４５】
１    収納体
２    収納ケース
２ａ  板材
３    電池
５    電池群
１０    底板
１１〜１４  折線
２１〜２４  折線
２５，４５  孔
３０    天板
４０    第二中間板
３１，３２，４１，４２  折線
５１    第一側板
５２    第二側板
５３    第三側板
５４    第四側板
５５    第五側板
５６，５７  第六側板
５８，５９  第七側板
【図１】
2012230859.tif 000003
【図２】
2012230859.tif 000004
【図３】
2012230859.tif 000005
【図４】
2012230859.tif 000006
【図５】
2012230859.tif 000007